(57)【要約】【課題】第１には、型枠支持部材の位置を簡単に調整することでき、第２には、浮かし型枠をバランス良く確実に支持する。【解決手段】平板状の鋼板からなり、一端側が縦筋２に装着可能に折曲加工され、締付ボルト１３の締結により縦筋２に固定する固定部１１ａと、その固定部１１ａの他端から延設する腕部１１ｂとを備えた浮かし型枠用支持具であって、腕部１１ｂには、その長手方向に延設されたスリット１１ｂ１が形成されており、当該スリット１１ｂ１には、上端部が浮かし型枠を載置する型枠支持部材１２がスライド可能に設けられている。【選択図】図１
2020002556.tif 000002
【特許請求の範囲】
【請求項１】
平板状の鋼板からなり、一端側が縦筋に装着可能に折曲加工され、締付ボルトの締結により縦筋に固定される固定部と、その固定部の他端から延設する腕部とを備えた浮かし型枠用支持具であって、
前記腕部の側面には、その長手方向に延びるスリットが形成されており、当該スリットには、浮かし型枠を支持する型枠支持部材がスライド可能に係合して設けられていることを特徴とする浮かし型枠用支持具。
【請求項２】
請求項１記載の浮かし型枠用支持具において、
前記型枠支持部材は、上端部が浮かし型枠下面に当接する型枠支持部と、その型枠支持部の下端部から下方に向かってそれぞれ延設され前記腕部に対し上方から嵌合した状態で前記スリットにスライド可能に係合する一対の係合部とを有し、前記型枠支持部の下端部が前記腕部の上側面に当接するように構成されていることを特徴とする浮かし型枠用支持具。
【発明の詳細な説明】
【技術分野】
【０００１】
本発明は、縦筋に装着され、コンクリート浮かし型枠（以下、浮かし型枠と略す。）を下方から支持する浮かし型枠用支持具に関する。
【背景技術】
【０００２】
縦筋に装着され、浮かし型枠を下方から支持する浮かし型枠用支持具として、例えば、縦筋への取付け部と、この取付け部から水平に連設された型枠支持用アームと、この型枠支持用アームに設けられた型枠支持部とからなり、型枠支持部を構成するコーン下部の軸杆を型枠支持用アームに設けた軸杆差込み孔に差し込んで、型枠支持部によって浮かし型枠を下方から支持するように構成するものが提案されている（例えば、特許文献１参照。）。
【０００３】
この浮かし型枠用支持具では、型枠支持用アームの向きを水平回転させることによってコーンの位置を調整して、浮かし型枠の真下に相当する位置にコーンを位置させた状態で縦筋に固定する（特許文献１の［００２０］参照。）。
【先行技術文献】
【特許文献】
【０００４】
【特許文献１】特開２０１７−１４５５７６号公報
【発明の概要】
【発明が解決しようとする課題】
【０００５】
ところで、浮かし型枠用支持具の周囲にはスラブ等の鉄筋が配筋されているため、上述の特許文献１に記載の従来技術では、型枠支持用アームを水平回転させてコーンの位置を調整することが難しく、結局、浮かし型枠用支持具を取り外して再度、固定し直す場合があり、その手間が面倒であるという問題がある。
【０００６】
また、仮に、浮かし型枠を設置した際にコーンの位置がずれていた場合は、浮かし型枠を移動した上で再度コーンの位置調整が必要となり、非常に手間がかかり、作業性や施工性の点で改善の余地がある。
【０００７】
尚、上記特許文献１には、コーンの軸杆が差し込まれる軸杆差し込み孔を、型枠支持用アームの長さ方向に複数設けても良い旨の記載があるが（［００２３］参照。）、この場合であっても、浮かし型枠を移動した上で再度、型枠支持部を構成するコーンの位置調整が必要となる。
【０００８】
さらに、上記特許文献１の浮かし型枠用支持具は、型枠支持用アームに設けられた軸杆差込み孔が、帯状板の長さ方向に沿って設けた上下２本の切込みの間の板部を片側に突曲させた構成（突曲板部）となっているため、型枠支持用アームの板厚方向の軸心と、コーン（軸杆）の中心とが偏心した位置関係になるので、浮かし型枠等の荷重により浮かし型枠用支持具に捩れる力が作用して縦筋に押圧固定している締結用ボルトが緩み、固定力が弱くなる可能性がある。
【０００９】
そこで、本発明はこのような問題点に鑑みなされたもので、第１には、型枠支持部材の位置を簡単に調整することでき、第２には、浮かし型枠をバランス良く確実に支持することができる浮かし型枠用支持具を提供することを目的とする。
【課題を解決するための手段】
【００１０】
上記問題点を解決するため、本発明に係る浮かし型枠用支持具は、平板状の鋼板からなり、一端側が縦筋に装着可能に折曲加工され、締付ボルトの締結により縦筋に固定される固定部と、その固定部の他端から延設する腕部とを備えた浮かし型枠用支持具であって、前記腕部の側面には、その長手方向に延びるスリットが形成されており、当該スリットには、浮かし型枠を支持する型枠支持部材がスライド可能に係合して設けられていることを特徴とする。
また、本発明に係る浮かし型枠用支持具では、前記型枠支持部材は、上端部が浮かし型枠下面に当接する型枠支持部と、その型枠支持部の下端部から下方に向かってそれぞれ延設され前記腕部に対し上方から嵌合した状態で前記スリットにスライド可能に係合する一対の係合部とを有し、前記型枠支持部の下端部が前記腕部の上側面に当接するように構成されていることを特徴とする。
【発明の効果】
【００１１】
本発明に係る浮かし型枠用支持具では、固定部から延びる腕部にはその長手方向に延びるスリットが形成されており、当該スリットには浮かし型枠を支持する型枠支持部材をスライド可能に係合して設けたため、浮かし型枠を移動することなく、型枠支持部材の位置を簡単に調整して浮かし型枠を支持することができる。
また、本発明に係る浮かし型枠用支持具では、型枠支持部材は、上端部が浮かし型枠下面に当接する型枠支持部と、その型枠支持部の下端部から下方に向かってそれぞれ延設され腕部に対し上方から嵌合した状態でスリットにスライド可能に係合する一対の係合部とを有し、型枠支持部の下端部が腕部の上側面に当接して支持するので、浮かし型枠の荷重が型枠支持部材を介して腕部の上側面にかかることになり、浮かし型枠をバランス良く確実に支持することができる。
【図面の簡単な説明】
【００１２】
【図１】本発明に係る実施形態の浮かし型枠用支持具の使用状態を示す正面図である。
【図２】本実施形態の浮かし型枠用支持具を構成する支持具本体に締結ボルトを螺合した状態を示す斜視図である。
【図３】（ａ）〜（ｃ）それぞれ本実施形態の浮かし型枠用支持具を構成する支持具本体に締結ボルトを螺合した状態を示す平面図、正面図、背面図である。
【図４】（ａ），（ｂ）それぞれ本実施形態の浮かし型枠用支持具を構成する支持具本体に締結ボルトを螺合した状態を示す右側面図、左側面図である。
【図５】（ａ），（ｂ）それぞれ本実施形態の浮かし型枠用支持具を構成する型枠支持部材の正面図、側面図である。
【図６】本実施形態の浮かし型枠用支持具を構成する支持具本体の腕部のスリットに型枠支持部材を嵌合させた状態を示す部分断面図である。
【図７】本実施形態の浮かし型枠用支持具を構成する支持具本体の腕部のスリットに嵌合させた型枠支持部材をスライドさせた状態を示す説明図である。
【図８】本実施形態の浮かし型枠用支持具によって支持した浮かし型枠を使用してコンクリートを打設した状態を示す部分断面図である。
【図９】本実施形態の浮かし型枠用支持具を構成する支持具本体の固定部の第４折曲部を第３折曲部に対し９０度より２度小さい８８度の角度で折曲加工して、締結ボルトの軸が第１折曲部と第２折曲部との間の折曲箇所（折曲境界線）よりも第２折曲部側を通るように構成した例を示す要部拡大図である。
【発明を実施するための形態】
【００１３】
以下、本発明に係る浮かし型枠用支持具の実施形態について説明する。尚、下記に説明する実施形態は、あくまで本発明の一例であり、本発明は下記の実施形態に限定されるものではなく、本発明の技術思想の創作の範囲内で適宜変更可能である。
【００１４】
まずは、本発明に係る実施形態の浮かし型枠用支持具１について説明する。
【００１５】
＜実施形態の浮かし型枠用支持具１の構成＞
実施形態の浮かし型枠用支持具１は、例えば、図１に示すように、鉄筋２に装着して浮かし型枠３を支持するもので、平板状の鋼板からなる支持具本体１１と、合成樹脂等からなる型枠支持部材１２と、締結ボルト１３とから構成されている。尚、浮かし型枠３は、桟木３ａ等が固定された合板３ｂで構成されており、桟木３ａ下面が型枠支持部材１２上端部に当接して支持される。
【００１６】
（型枠用支持具本体１１）
型枠用支持具本体１１は、図２〜図４等に示すように、厚さＷ１（図３（ａ）参照。）の平板状の鋼板からなり、一端側が縦筋２に装着可能に略５角形に折曲加工され、締付ボルト１３の締結により縦筋２に固定される固定部１１ａと、その固定部１１ａの他端から延設する長尺の腕部１１ｂとを備えて構成される。
【００１７】
固定部１１ａは、図２や図３（ａ）〜（ｃ）に示すように縦筋２に装着可能になるように略５角形に折曲加工して第１折曲部１１ａ１〜第４折曲部１１ａ４を形成し、第４折曲部１１ａ４に形成した雌ネジ孔に螺合する締結ボルト１３先端部と第１折曲部１１ａ１と第２折曲部１１ｂとの間で鉄筋２の外周面を押圧および挟持して鉄筋２に固定するように構成されている。
【００１８】
ここで、固定部１１ａは、図３（ａ）に示すように第４折曲部１１ａ４は第３折曲部１１ａ３に対し９０度の角度で折曲加工されており、第４折曲部１１ａ４の雌ネジ孔に螺合する締結ボルト１３の軸心αが、第１折曲部１１ａ１と第２折曲部１１ａ２との間の折曲箇所（折曲境界線）を通るように構成されている。
【００１９】
また固定部１１ａは、強度が向上するように第１折曲部１１ａ１〜第４折曲部１１ａ４にわたって中央部を内側から外側に向かって押出した押出し補強部１１ａ５が形成されている。尚、固定部１１ａの平面視の形状は、略５角形に限らず、略３角形や湾曲形状でも、鉄筋２に固定できれば十分である。
【００２０】
腕部１１ｂは、固定部１１ａの他端、すなわち第４折曲部１１ａ４から延設した長尺部分で、腕部１１ｂの横側面には、図３（ｂ）に示すようにその長手方向に上下方向の幅がｈ１で延びるスリット１１ｂ１が形成されている。尚、腕部１１ｂ上端部からスリット１１ｂ上端部までの幅をｈ２とする。
【００２１】
（型枠支持部材１２）
型枠支持部材１２は、合成樹脂等により成型され、図１に示すように浮かし型枠３の桟木３ａ下面に当接して浮かし型枠３を支持するもので、図５（ａ），（ｂ）に示すように、型枠支持部１２ａと、型枠支持部１２ａの下端部から下方に向かって対称的に延びる一対の脚部（係合部）１２ｂ，１２ｂとを備えて構成される。尚、型枠支持部材１２は、合成樹脂製に限らず、金属製でも勿論良く、その素材には拘らない。
【００２２】
型枠支持部１２ａは、浮かし型枠３の桟木３ａ下面に当接する上端面１２ａ１と、上端面１２ａ１から下方に向かうに従って徐々に間隔が拡開するように左右対称に傾斜する一対の傾斜面１２ａ２，１２ａ２と、型枠支持部１２ａ下端部において一対の脚部１２ｂ，１２ｂ間に形成され、図６に示すように腕部１１ｂのスリット１１ｂ１にスライド可能に係合した際、腕部１１ｂの上側面が当接する下側面１２ａ３とによって側面視、左右対称の台形状に形成されている。
【００２３】
ここで、下側面１２ａ３の幅Ｗ２（図５（ｂ）参照。）は、腕部１１ｂの厚さＷ１とほぼ同一にしている。
【００２４】
一対の脚部１２ｂ，１２ｂは、型枠支持部１２ａの下端部から下方に向かって型枠用支持具本体１１の腕部１１ｂの厚さＷ１とほぼ同一である型枠支持部１２ａの下側面１２ａ３の幅Ｗ２だけ離れて形成されており、その下端部にはそれぞれ内側に向かって湾曲形状に突出し、図６に示すように腕部１１ｂのスリット１１ｂ１の長手方向にスライド可能に係合する湾曲突出係合部１２ｂ１，１２ｂ１を設けている。
【００２５】
そのため、一対の脚部１２ｂ，１２ｂは、湾曲突出係合部１２ｂ１，１２ｂ１によって図６に示すように腕部１１ｂのスリット１１ｂ１の長手方向にスライド可能に係合するだけでなく、上方から押し込むだけで腕部１１ｂのスリット１１ｂ１に対し嵌合し易くなると共に、スリット１１ｂ１に嵌合した状態の型枠支持部材１２を上方へ強く引っ張ることによってスリット１１ｂ１から取り外すこともできる。尚、一対の脚部１２ｂ，１２ｂの下端部にそれぞれ設けた湾曲突出係合部１２ｂ１，１２ｂ１はあくまで一例であって、湾曲形状に限らず三角形状やスリット１１ｂ１に嵌まり込むような四角形状など、形状は特に限定されない。また、腕部１１ｂのスリット１１ｂ１の長手方向にスライド可能に係合できれば、一対の脚部１２ｂ，１２ｂの下端部にそれぞれ内側に向かって突出させるような部位を設けなくても良い。
【００２６】
ここで、図５（ａ）に示すように一対の脚部１２ｂ，１２ｂの上端部から湾曲突出係合部１２ｂ１，１２ｂ１までの上下方向の長さをｈ３、湾曲突出係合部１２ｂ１，１２ｂ１の上下方向の長さをｈ４とすると、図６に示すように一対の脚部１２ｂ，１２ｂの上端部から湾曲突出係合部１２ｂ１，１２ｂ１までの上下方向の長さｈ３は、腕部１１ｂ上端部からスリット１１ｂ上端部までの幅ｈ２（図３（ｂ）参照。）とほぼ同一にしている。
【００２７】
そのため、図６に示すように型枠支持部材１２を腕部１１ｂに対し上方から嵌合した際、型枠支持部１２ａの下側面１２ａ３が腕部１１ｂの上側面に当接した状態でスリット１１ｂに係合するので、浮かし型枠３の荷重が型枠支持部材１２を介して腕部１１ｂの上側面にかかることになり、型枠支持部材１２の側面視の形状が左右対称なことからも浮かし型枠３をバランス良く確実に支持することができる。
【００２８】
また、湾曲突出係合部１２ｂ１，１２ｂ１の上下方向の長さｈ４（図５（ａ）参照。）は、スリット１１ｂ１の上下方向の幅ｈ１（図３（ｂ）参照。）よりも若干大きくすることにより、湾曲突出係合部１２ｂ１，１２ｂ１それぞれの湾曲面下部がスリット１１ｂ１の下方角部の左右両側にそれぞれ当接するので、型枠支持部材１２をスリット１１ｂ１に安定した状態でスライド可能に係合させて支持することができる。
【００２９】
そのため、鉄筋２に支持具本体１１を締結ボルト１３で固定して、支持具本体１１の腕部１１ｂのスリット１１ｂ１に型枠支持部材１２を嵌合させた後に、あるいは腕部１１ｂのスリット１１ｂ１に型枠支持部材１２を係合させた支持具本体１１を鉄筋２に締結ボルト１３で固定した後に、型枠支持部材１２の上端部に浮かし型枠３を載置する際、型枠支持部材１２と浮かし型枠３の位置がずれていたとしても、締結ボルト１３を緩めて鉄筋２から支持具本体１１を取り外すことなく、例えば、図７に示すように型枠支持部材１２が浮かし型枠３の下面のなるべく中心に来るように型枠支持部材１２を腕部１１ｂのスリット１１ｂ１に沿って矢印の方向にスライドさせることができる。
【００３０】
その後は、図８に示すように浮かし型枠３の内側にコンクリート４を打設し、コンクリート４の養生完了後、浮かし型枠３を取り外す。
【００３１】
すると、浮かし型枠３を支持していた浮かし型枠用支持具１は、鉄筋２等と共に打設したコンクリート４に埋設され、浮かし型枠３の桟木３ａ下面に当接していた型枠支持部材１２の上端面１２ａ１がコンクリート４の表面に露出するおそれがある。
【００３２】
しかし、本実施形態の型枠支持部材１２はその上端面１２ａ１が、図５（ｂ）に示すように側面視の幅が狭く形成されているため、コンクリート４表面の露出面積を最小限に抑えることができる。
【００３３】
従って、本発明に係る実施形態の浮かし型枠用支持具１では、型枠用支持具本体１１の腕部１１ｂには、その長手方向に延びるスリット１１ｂ１を形成し、そのスリット１１ｂ１には、上端部が浮かし型枠３を載置する型枠支持部材１２をスライド可能に設けたため、型枠支持部材１２の位置を簡単に調整して浮かし型枠３を支持することができる。
【００３４】
特に、本実施形態の浮かし型枠用支持具１では、腕部１１ｂのスリット１１ｂ１にスライド可能に設ける型枠支持部材１２が、図５（ａ），（ｂ）に示すように、側面視左右対称な型枠支持部１２ａと、型枠支持部１２ａの下端部の左右両側から下方に向かって左右対称に延びる一対の脚部１２ｂ，１２ｂで構成し、図６に示すように型枠支持部１２ａの下端部中央の下側面１２ａ３が腕部１１ｂ上側面に当接した状態で浮かし型枠３を支持するので、特許文献１に記載の浮かし型枠用支持具とは異なり、腕部１１ｂの板厚方向の軸心と型枠支持部材１２の中心が一致し、偏心した位置関係にならない。
【００３５】
そのため、本実施形態の浮かし型枠用支持具１によれば、浮かし型枠３の荷重が型枠支持部材１２を介して腕部１１ｂの上側面上に直接かかるので、型枠用支持具本体１１に捩れる力が作用せず、縦筋２に押圧固定する締結用ボルト１３が緩む可能性も少なくなり、浮かし型枠３をバランス良く確実に支持することが可能となる。
【００３６】
尚、上記実施形態の説明では、固定部１１ａは、図３（ａ）に示すように第４折曲部１１ａ４は第３折曲部１１ａ３に対し９０度の角度で折曲加工され、第４折曲部１１ａ４の雌ネジ孔に螺合する締結ボルト１３の軸心αが第１折曲部１１ａ１と第２折曲部１１ａ２との間の折曲箇所（折曲境界線）を通るように構成して説明したが、これに限らず、図９に示すように、第４折曲部１１ａ４を第３折曲部１１ａ３に対し９０度より例えば２度小さい８８度の角度で折曲加工して、締結ボルト１３の軸心αが第１折曲部１１ａ１と第２折曲部１１ａ２との間の折曲箇所（折曲境界線）よりも第２折曲部１１ａ２側を通るように構成しても良い。
【００３７】
このように構成すると、締結ボルト１３は鉄筋２を第１折曲部１１ａ１と第２折曲部１１ａ２との間の折曲箇所（折曲境界線）よりも第２折曲部１１ａ２側に押圧することになり、締結ボルト１３先端部と第１折曲部１１ａ１と第２折曲部１１ｂとの間で鉄筋２の外周面を挟持して鉄筋２に固定する際、締結ボルト１３が鉄筋２の節やリブ等によって固定部１１の開口側に逃げる傾向を抑えることができるので、鉄筋２への固定度を向上させることができ、鉄筋２への固定を安定化することができる。
【００３８】
尚、上記実施形態の説明では、浮かし型枠用支持具１を支持具本体１１と、型枠支持部材１２と、締結ボルト１３とで構成して説明したが、型枠支持部材１２を支持具本体１１から取り外して、支持具本体１１の腕部１１ｂの上側面で直接、浮かし型枠３を支持することもできる。
【符号の説明】
【００３９】
１…浮かし型枠用支持具、１１…支持具本体、１１ａ…固定部、１１ｂ…腕部、１１ｂ１…スリット、１２…型枠支持部材、１２ａ…型枠支持部、１２ｂ…脚部（係合部）、１２ｂ１…湾曲突出係合部、１３…締結ボルト、３…浮かし型枠、３ａ…桟木、３ｂ…合板、４…コンクリート。
【図１】
2020002556.tif 000003
【図２】
2020002556.tif 000004
【図３】
2020002556.tif 000005
【図４】
2020002556.tif 000006
【図５】
2020002556.tif 000007
【図６】
2020002556.tif 000008
【図７】
2020002556.tif 000009
【図８】
2020002556.tif 000010
【図９】
2020002556.tif 000011